(57)【要約】【課題】使用前にインジケーターが部分的に変色してしまうという事態を発生し難くする。【解決手段】本発明に係る使い捨ておむつ１０では、被覆シート４０は、吸収性コア４０ａの非肌当接面側Ｓ１において重なり合うように構成されており、被覆シート４０ｂの重なり合う部位Ａにおいて、粘着剤１によって、内側シート４１の端部４１Ｅと外側シート４２とが接合され、外側シート４２の端部４２Ｅと内側シート４１とが接合されるように構成されており、粘着剤１が塗布されている領域間において、内側シート４１と外側シート４２とが接合されていない非接合領域Ｂが、製品長手方向Ｌに延びるように構成されており、インジケーター６００は、非接合領域Ｂ内に設けられている。【選択図】図３
2014094193.tif 000002
【特許請求の範囲】
【請求項１】
前胴回り域と、後胴回り域と、前記前胴回り域と前記後胴回り域との間に位置する股下域と有し、
前記股下域を跨ぎ前記前胴回り域及び前記後胴回り域に向かって延びる吸収体を備え、
前記前胴回り域から前記後胴回り域に向かう製品長手方向と、前記製品長手方向と直交する製品幅方向とを有する使い捨ておむつであって、
前記吸収体の非肌当接面側に配置されている液不透過性のバックシートと、
前記バックシートと前記吸収体との間に設けられており、水分と接触すると視覚的に変化するように構成されているインジケーターとを具備しており、
前記吸収体を構成する吸収性コアの非肌当接面側及び肌当接面側は、液透過性の被覆シートによって被覆されており、
前記被覆シートは、前記吸収性コアの非肌当接面側において重なり合うように構成されており、
前記被覆シートの重なり合う部位は、前記製品長手方向に沿って延びるように構成されており、
前記被覆シートの重なり合う部位において、粘着剤によって、内側シートの端部と前記内側シートの非肌当接面側に配置されている外側シートとが接合され、前記外側シートの端部と前記内側シートとが接合されるように構成されており、
前記粘着剤が塗布されている領域間において、前記内側シートと前記外側シートとが接合されていない非接合領域が、前記製品長手方向に延びるように構成されており、
前記インジケーターは、前記非接合領域内に設けられていることを特徴とする使い捨ておむつ。
【請求項２】
皺がなく伸ばされた状態において、前記非接合領域における前記内側シートの前記製品幅方向の長さは、前記非接合領域における前記外側シートの前記製品幅方向の長さと異なるように構成されていることを特徴とする請求項１に記載の使い捨ておむつ。
【請求項３】
前記インジケーターが設けられている領域に重なるように伸縮部材が設けられており、
前記インジケーターは、前記製品幅方向の中央領域内に設けられていることを特徴とする請求項１又は２に記載の使い捨ておむつ。
【請求項４】
前記内側シート及び前記外側シートの少なくとも一方の端部は、他方側に折り返されるように構成されていることを特徴とする請求項１乃至３のいずれか一項に記載の使い捨ておむつ。
【請求項５】
前記吸収性コアは、高吸収ポリマーを有しており、
前記吸収性コアにおける前記高吸収ポリマーの含有量は、前記吸収性コアの全重量に対して３５％以上９５％以下となるように構成されており、
前記高吸収ポリマーは、前記吸収性コア内で、肌当接面側よりも非肌当接面側に多く存在するように構成されていることを特徴とする請求項１乃至４のいずれか一項に記載の使い捨ておむつ。
【請求項６】
前記インジケーターが延びる方向は、前記被覆シートのクレム吸水が高い方向と一致するように構成されていることを特徴とする請求項１乃至５のいずれか一項に記載の使い捨ておむつ。
【請求項７】
前記伸縮部材は、前記バックシートと前記吸収性コアの非肌当接面側を被覆している前記被覆シートとの間に配置されていることを特徴とする請求項３に記載の使い捨ておむつ。
【請求項８】
前記バックシートの非肌当接面側に、伸縮方向と交差する方向にエンボス列を有する不織布シートによって構成されている外装シートを有しており、
前記バックシート及び前記外装シートは、互いに点パターン又は線パターンにて接合されていることを特徴とする請求項１乃至７のいずれか一項に記載の使い捨ておむつ。
【発明の詳細な説明】
【技術分野】
【０００１】
本発明は、使い捨ておむつに関する。
【背景技術】
【０００２】
従来、前胴回り域と、後胴回り域と、前胴回り域と後胴回り域との間に位置する股下域とを有し、一対の脚回り開口部が形成されると共に、股下域を跨ぎ前胴回り域及び後胴回り域に向かって延びる吸収体を備えた使い捨ておむつが知られている。
【０００３】
ここで、特許文献１及び２には、このような使い捨ておむつにおいて、非肌当接面側から視認できる位置に、水分との接触によりｐＨが変化して変色する変色剤によって構成されているインジケーターを設ける技術について開示されている。
【０００４】
着用補助者は、かかる変色により、使い捨ておむつの非肌当接面側から、着用者の排泄の有無を確認することができる。
【先行技術文献】
【特許文献】
【０００５】
【特許文献１】特許第４０８６７１２号
【特許文献２】特開平１１-４８５２号公報
【発明の概要】
【発明が解決しようとする課題】
【０００６】
従来の使い捨ておむつでは、インジケーターの変色の程度を明確にするために、二重に重なって接着されている台紙上にインジケーターが接するように構成されている。
【０００７】
しかしながら、上述の使い捨ておむつでは、かかる台紙によって吸収性コアが被覆されているため、インジケーターの成分が、かかる台紙内に浸透し、ＳＡＰ（Ｓｕｐｅｒａｂｓｏｒｂｅｎｔ  ｐｏｌｙｍｅｒ：高吸収ポリマー）の吸収した水分と反応して、かかる使い捨ておむつの使用前に、インジケーターが変色してしまう場合があるという問題点があった。
【０００８】
具体的には、上述の使い捨ておむつでは、吸収性コアとインジケーターとの間にほとんど空間がないため、台紙の目付ムラやインジケーターの定着レベルによっては、インジケーター成分の浸透が起こり易く、吸収性コア内のＳＡＰの保持する水分により、かかる使い捨ておむつの使用前に、インジケーターが変色してしまうという問題点があった。
【０００９】
さらに、吸収性コアの薄型化が進むと、嵩のあるパルプ目付は少なくなり、ＳＡＰ比率が高まることで、吸収性コアの非肌当接面側にＳＡＰが露出するリスクが高まっているため、よりＳＡＰの保持する水分がインジケーターの変色を促し易くなるという問題点があった。
【００１０】
そこで、本発明は、このような状況に鑑みてなされたものであり、使用前にインジケーターが部分的に変色してしまうという事態を発生し難くすることができる使い捨ておむつを提供することを目的とする。
【課題を解決するための手段】
【００１１】
本発明の第１の特徴は、使い捨ておむつであって、前胴回り域と、後胴回り域と、前記前胴回り域と前記後胴回り域との間に位置する股下域と有し、前記股下域を跨ぎ前記前胴回り域及び前記後胴回り域に向かって延びる吸収体を備え、前記前胴回り域から前記後胴回り域に向かう製品長手方向と、前記製品長手方向と直交する製品幅方向とを有する使い捨ておむつであって、前記吸収体の非肌当接面側に配置されている液不透過性のバックシートと、前記バックシートと前記吸収体との間に設けられており、水分と接触すると視覚的に変化するように構成されているインジケーターとを具備しており、前記吸収体を構成する吸収性コアの非肌当接面側及び肌当接面側は、液透過性の被覆シートによって被覆されており、前記被覆シートは、前記吸収性コアの非肌当接面側において重なり合うように構成されており、前記被覆シートの重なり合う部位は、前記製品長手方向に沿って延びるように構成されており、前記被覆シートの重なり合う部位において、粘着剤によって、内側シートの端部と前記内側シートの非肌当接面側に配置されている外側シートとが接合され、前記外側シートの端部と前記内側シートとが接合されるように構成されており、前記粘着剤が塗布されている領域間において、前記内側シートと前記外側シートとが接合されていない非接合領域が、前記製品長手方向に延びるように構成されており、前記インジケーターが設けられている領域は、前記非接合領域内に設けられていることを要旨とする。
【発明の効果】
【００１２】
本発明の特徴によれば、使用前にインジケーターが部分的に変色してしまうという事態を発生し難くすることができる使い捨ておむつを提供することができる。
【図面の簡単な説明】
【００１３】
【図１】本発明の第１の実施形態に係る使い捨ておむつの展開平面図（肌当接面側Ｓ２）である。
【図２】本発明の第１の実施形態に係る使い捨ておむつの展開平面図（非肌当接面側Ｓ１）である。
【図３】図１及び図２に示すＦ１-Ｆ１線に沿った本実施形態に係る使い捨ておむつの断面図である。
【図４】図１及び図２に示すＦ１-Ｆ１線に沿った本実施形態に係る使い捨ておむつの断面図である。
【図５】本発明の第１の実施形態に係る使い捨ておむつに含まれる被覆シートに粘着剤が塗布されている領域の一例を示す図である。
【図６】本発明の変更例に係る使い捨ておむつの断面図（図１及び図２に示すＦ１-Ｆ１線に沿った断面図）である。
【図７】本発明の変更例に係る使い捨ておむつの断面図（図１及び図２に示すＦ１-Ｆ１線に沿った断面図）である。
【図８】本発明の変更例に係る使い捨ておむつの断面図（図１及び図２に示すＦ１-Ｆ１線に沿った断面図）である。
【発明を実施するための形態】
【００１４】
（本発明の第１の実施形態）
図１乃至図５を参照して、本発明の第１の実施形態に係る使い捨ておむつ１０について説明する。
【００１５】
なお、以下の図面の記載において、同一又は類似の部分には、同一又は類似の符号を付している。ただし、図面は模式的なものであり、各寸法の比率等は現実のものとは異なることに留意すべきである。
【００１６】
したがって、具体的な寸法等は、以下の説明を参酌して判断すべきである。また、図面相互間においても互いの寸法の関係や比率が異なる部分が含まれ得る。
【００１７】
なお、本実施形態では、テープ型の使い捨ておむつ１０を例に挙げて説明を行うが、本発明は、パンツ型の使い捨ておむつ１０にも適用可能である。
【００１８】
図１は、本実施形態に係る使い捨ておむつ１０の非肌当接面側Ｓ１から見た展開平面図であり、図２は、本実施形態に係る使い捨ておむつ１０の肌当接面Ｓ２側から見た展開平面図であり、図３は、図１に示したＦ１-Ｆ１線に沿った本実施形態に係る使い捨ておむつ１０の断面図であり、図４は、図１に示したＦ２-Ｆ２線に沿った本実施形態に係る使い捨ておむつ１０の断面図であり、図５は、本実施形態に係る使い捨ておむつ１０に含まれる被覆シート４０ｂに粘着剤が塗布されている領域の一例を示す図である。
【００１９】
図１及び図２に示す展開平面図は、使い捨ておむつ１０を構成するトップシート５０やサイドフラップ７０等の皺が形成されない状態まで、レッグ伸縮部７５及びレッグサイドギャザー８０の弾性部材（レッグ弾性部材）７１を伸長させた状態の図である。
【００２０】
図１及び図２に示すように、本実施形態に係る使い捨ておむつ１０は、前胴回り域２０と、股下域２５と、後胴回り域３０とを有する。
【００２１】
ここで、前胴回り域２０は、着用者の前胴回り部（腹部分）と接する部分であり、後胴回り域３０は、着用者の後胴回り部（背部分）と接する部分であり、股下域２５は、前胴回り域２０と後胴回り域３０との間に位置し、着用者の股下部（排泄口）と接する部分である。
【００２２】
なお、本実施形態では、前胴回り域２０から後胴回り域３０に向かう方向を製品長手方向Ｌと呼び、製品長手方向Ｌと直交する方向を製品幅方向Ｗと呼ぶこととする。
【００２３】
ここで、股下域２５内に、クロッチ部２００が形成されており、クロッチ部２００よりも着用者の腹側の領域を、前胴回り領域２０と定義し、クロッチ部２００よりも着用者の背側の領域を、後前胴回り領域３０と定義とするものとする。
【００２４】
なお、後胴回り域３０の製品長手方向Ｌにおける長さ（自然状態）は、前胴回り域２０の製品長手方向Ｌにおける長さ（自然状態）よりも長くなるように構成されている。
【００２５】
また、本実施形態に係る使い捨ておむつ１０には、一対の脚回り開口部３５が形成される。脚回り開口部３５は、使い捨ておむつ１０の製品幅方向Ｗの側端部に設けられており、使い捨ておむつ１０が着用者に着用された状態で、着用者の脚回りに沿って配置される部分である。
【００２６】
本実施形態に係る使い捨ておむつ１０は、股下域２５を跨ぎ、且つ、股下域２５から前胴回り域２０及び後胴回り域３０の少なくとも一方に向かって延びる吸収体４０を備える。
【００２７】
図３及び図４に示すように、吸収体４０は、吸収性コア４０ａと被覆シート（コアラップ）４０ｂとによって構成されている。
【００２８】
吸収性コア４０ａは、従来の使い捨ておむつで用いられているものと同様であり、粉砕パルプやＳＡＰ等といった公知の部材や材料を用いて、吸収性コア４０ａを適宜構成することができる。
【００２９】
ここで、吸収性コア４０ａにおけるＳＡＰの含有量は、吸収性コア４０ａの全重量に対して３５％以上９５％以下となるように構成されていてもよい。より好ましくは、吸収性コア４０ａにおけるＳＡＰの含有量は、４５％以上となるように構成されることが好ましい。
【００３０】
吸収性コア４０ａの全重量に対するＳＡＰの含有量の比率を高めることで、吸収性コア４０ａの液吸収量及び液保持量を大きくすることができる。
【００３１】
また、ＳＡＰは、吸収性コア４０ａ内で、肌当接面側Ｓ２よりも非肌当接面側Ｓ１に多く存在するように構成されていてもよい。
【００３２】
かかる構成によれば、吸収性コア４０ａ内に排泄物を取り込む速度を早くすることができる。
【００３３】
また、これらの構成によれば、使い捨ておむつ１０の吸収機能を高めるという効果を奏すると共に、インジケーターの変色についても抑制することができる。
【００３４】
例えば、吸収性コア４０ａにおける粉砕パルプの含有量は、１００〜３００ｇｓｍ（例えば、２２０ｇｓｍ）であり、吸収性コア４０ａにおけるＳＡＰの含有量は、１００〜３００ｇｓｍ（例えば、１５０ｇｓｍ）である。
【００３５】
被覆シート４０ｂは、吸収性コア４０ａを被覆するシートである。例えば、被覆シート４０ｂを構成する部材としては、質量約１０〜３０ｇ/ｍ２のエアスルー繊維不織布や、スパンボンド不織布や、ＳＭＳ（スパンボンド-メルトブロン-スパンボンド）不織布や、質量約１０〜３０ｇ/ｍ２のティッシュシートを用いることができる。
【００３６】
具体的には、吸収性コア４０ａの非肌当接面側Ｓ１及び肌当接面側Ｓ２は、被覆シート４０ｂによって被覆されている。
【００３７】
例えば、被覆シート４０ｂは、吸収性コア４０ａ全体を包み込むように構成されていてもよい。
【００３８】
図３に示すように、被覆シート４０ｂは、吸収性コア４０ａの非肌当接面側Ｓ１において重なり合うように構成されている（図３の部位Ａ参照）。
【００３９】
ここで、被覆シート４０ｂの重なり合う部位Ａは、製品長手方向Ｌに沿って延びるように構成されている。
【００４０】
また、図３に示すように、被覆シート４０ｂの重なり合う部位Ａにおいて、ホットメルト型接着剤（ＨＭＡ）等の粘着剤１によって、内側シート４１の端部４１Ｅと外側シート４２とが接合され、外側シート４２の端部４Ｅと内側シート４１とが接合されるように構成されている。
【００４１】
ここで、内側シート４１は、被覆シート４０ｂの重なり合う部位Ａにおいて、吸収性コア４０ａ側に配置されており吸収性コア４０ａに接合されている被覆シートであり、外側シート４１は、被覆シート４０ｂの重なり合う部位Ａにおいて、吸収性コア４０ａの反対側に配置されている被覆シートである。
【００４２】
また、粘着剤１が塗布されている領域間において、内側シート４１と外側シート４２とが接合されていない非接合領域Ｂが、製品長手方向Ｌに延びるように構成されている。
【００４３】
図３及び図４に示すように、吸収体４０の肌当接面側Ｓ２には、液透過性のトップシート５０が備えられており、吸収体４０の非肌当接面側Ｓ１には、液不透過性のバックシート６０ａが備えられている。
【００４４】
なお、バックシート６０ａは、フィルム及び不織布シートによって構成されている。ここで、かかるフィルム上に、使い捨ておむつ１０の非肌当接面側Ｓ１から視認可能なデザインが設けられている。
【００４５】
また、バックシート６０ａと吸収体４０との間に、水分と接触すると視覚的に変化する変色剤によって構成されているインジケーター６００が設けられている。
【００４６】
インジケーター６００は、製品幅方向Ｗの中央領域内で、かつ、非接合領域Ｂ内に設けられていてもよい。
【００４７】
さらに、インジケーター６００が延びる方向は、被覆シート４０ｂのクレム吸水が高い方向と一致するように構成されていてもよい。
【００４８】
図２に示すように、インジケーター６００が延びる方向は、製品長手方向Ｌに相当する。
【００４９】
なお、被覆シート４０ｂのクレム吸水については、ＪＩＳ-Ｐ８１４１に順じて測定を行うことができる。
【００５０】
具体的には、第１に、インジケーター６００が延びる方向に沿って、所定の寸法（幅２０ｍｍ、長さ２００ｍｍ）の短冊状に切り出したサンプル１、及び、インジケーター６００の延びる方向に直交する方向に延びる方向に沿って切り出したサンプル２を準備する。
【００５１】
第２に、かかるサンプル１及び２の縦方向を鉛直方向とし、かかるサンプル１及び２の下端から１５ｍｍの部分までを蒸留水に浸し、浸してから１０分±１０秒後に、かかるサンプル１及び２の下端から蒸留水が吸い上げられた距離（ｍｍ）を測定する。
【００５２】
第３に、かかる測定値を「クレム吸水高さ」とし、サンプル１及び２のクレム吸水高さを比較し、サンプル１及び２のどちらが、被覆シート４０ｂのクレム吸水が高い方向と一致している構成であるか否かについて判断する。
【００５３】
かかる構成によれば、インジケーター６００の延びる方向を被覆シート４０ｂのクレム吸水が高い方向に一致させることで、複数枚の被覆シート４０ｂを重ねた構成とした場合であっても、インジケーター６００に沿って排泄物の水分を拡散することができるため、インジケーター６００の変色の不足を防ぐことが可能となる。
【００５４】
インジケーター６００の製品幅方向Ｗの長さは、広すぎると、排泄物による変色時において、インジケーター６００の製品幅方向Ｗの全域が変色できずにムラが生じ、着用補助者が、使い捨ておむつ１０の交換タイミングを誤認してしまうため、あまり広すぎないことが好ましい。
【００５５】
かかる観点によれば、インジケーター６００の製品幅方向Ｗの長さは、１ｍｍ以上１０ｍｍ以下であることが好ましく、１ｍｍ以上５ｍｍ以下であることがより好ましい。
【００５６】
なお、被覆シート４０ｂの少なくとも肌当接面側Ｓ２の一部は、液透過性を有している。
【００５７】
ここで、目付ムラの観点によれば、被覆シート４０ｂの目付は、７ｇｓｍ以上であることが好ましく、透液性の観点によれば、排泄量が少なくてもインジケーター６００を変色させるために、被覆シート４０ｂの目付は、２０ｇｓｍ以下であることが好ましく、１０〜１５ｇｓｍであることがより好ましい。
【００５８】
また、非接合領域Ｂにおいて、外側シート４２を弛ませることによって、図３に示すように、外側シート４２の肌当接面側Ｓ２に、複数の皺を形成しやすくするために、複数の凸形状を形成するように構成されていてもよい。
【００５９】
したがって、皺がなく伸ばされた状態において、非接合領域Ｂにおける内側シート４１の製品幅方向Ｗの長さは、非接合領域Ｂにおける外側シート４２の製品幅方向Ｗの長さと異なるように構成されている。
【００６０】
かかる構成によれば、インジケーター６００と吸収性コア４０ａとの間に空間が発生するため、インジケーター６００及び吸収性コア４０ａが接触し難い状態となる。
【００６１】
また、インジケーター６００が設けられていない領域では、外側シート４２は、内側シート４１に接合されていてもよい。かかる構成によれば、使い捨ておむつ１０の着用時における吸収性コア４０ａの変形を抑制することができ、被覆シート４０ｂによりＳＡＰが被覆シート４０ｂの外側に出てくるという事態を防ぐことができる。
【００６２】
また、図１、図３及び図４に示すように、本実施形態に係る使い捨ておむつ１０では、クロッチ部２００内に、より具体的には、股下域２５内において製品幅方向Ｗの中心Ｏを跨ぎ且つ吸収体４０が配置されている吸収体配置領域内に、伸縮可能な伸縮部材２００ａ（クロッチ伸縮部）が設けられていてもよい。
【００６３】
ここで、伸縮部材２００ａは、製品長手方向Ｌに伸縮可能であってもよいし、製品幅方向Ｗに伸縮可能であってもよいし、製品長手方向Ｌ及び製品幅方向Ｗの両方に伸縮可能であってもよい。
【００６４】
また、製品長手方向Ｌにおける伸縮部材２００ａの中心Ｏ２は、製品長手方向Ｌにおける使い捨ておむつ１０の中心Ｏ１よりも、前胴回り域２０側に配置されている。また、伸縮部材２００ａは、製品長手方向Ｌにおける使い捨ておむつ１０の中心Ｏ１を跨ぐように配置されている。
【００６５】
より具体的には、伸縮部材２００ａは、インジケーター６００が設けられている領域に重なるように設けられている。また、伸縮部材２００ａは、バックシート６０ａと吸収性コア４０ａの非肌当接面側Ｓ１を被覆している被覆シート４０ｂとの間に配置されている。
【００６６】
かかる伸縮部材２００ａは、自然状態において収縮した状態でも凹凸形状（皺）が発生せずに平坦な形状のままであるように構成されている。
【００６７】
したがって、かかる伸縮部材２００ａの収縮によって、非接合領域Ｂにおいて、図３に示すように、非伸縮性のシートからなる内側シート４１と外側シート４２との間に複数の凸形状が形成され、その結果、内側シート４１と外側シート４２との間に空間が生まれる。
【００６８】
また、インジケーター６００が設けられている領域は、インジケーター６００により、インジケーター６００が接しているＳ１側の伸縮部材２００ａとＳ２側の外側シート４２とが互いに接合されているため、インジケーター６００が設けられていない隣接する領域よりも剛性が高くなり、インジケーター６００が設けられていない領域において、主に、外側シート４２が収縮する。
【００６９】
その結果、吸収性コア４０ａ及びインジケーター６００が、さらに接触し難い状態になる。
【００７０】
同様に、伸縮部材２００ａが、自然状態において収縮した状態でも平坦な形状のままであるため、非伸縮性のバックシート６０ａは、非肌当接面側Ｓ１に凸となる形状になり、非肌当接面側Ｓ１から圧力がかかっても衝撃を緩和することができ、インジケーター６００と吸収性コア４０ｂとの間の空間を保持することができる。
【００７１】
なお、パッケージ内における圧力を踏まえると、インジケーター６００及び外側シート４２を接合することに加えて、伸縮部材２００ａ及びインジケーター６００を重ねて接合し、自然状態（パッケージ封入状態）においても、伸縮部材２００ａの収縮により、内側シート４１及び外側シート４２に皺を発生させ、内側シート４１と外側シート４２との間の空間を保持できるように構成することが好ましい。
【００７２】
このような状態において、インジケーター６００と吸収性コア４０ｂとの間の空間を保持するために、バックシート６０ａや外装シート６０や伸縮部材２００ａは、高剛性であることが好ましい。
【００７３】
ここで、装着時の柔軟性や触感を考慮すると、バックシート６０ａを構成するフィルムの目付は、１０〜３０ｇｓｍであり、バックシート６０ａを構成する不織布シートの目付は、１０〜４０ｇｓｍであり、伸縮部材２００ａの目付は、２０から５０ｇｓｍであることが好ましい。
【００７４】
また、凹凸形状の発生頻度や凹凸形状の高さが高くなり、インジケーター６００と吸収性コア４０ｂとの間の空間を保持し易くなるため、伸縮部材２００ａの伸縮率は高い方が好ましい。
【００７５】
ただし、触感を考慮すると、伸縮部材２００ａの伸縮率は、１.１〜１.８倍であることが好ましい。
【００７６】
伸縮率は、伸縮方向（本実施形態では、製品長手方向Ｌ）における伸縮部材２００ａの伸縮の程度を意味し、以下のように規定される。
【００７７】
伸縮率＝（最大伸張状態における伸縮部材２００ａの伸縮方向における長さ）/（自然状態における伸縮部材２００ａの伸縮方向における長さ）
なお、本明細書において、かかる伸縮率は、例えば、次のように測定されるものとする。
【００７８】
第１に、使い捨ておむつ１０がパッケージ等に封入されている場合には、パッケージから使い捨ておむつ１０を取り出し、その状態にて２０℃±２℃、相対湿度６０％±５％ＲＨの雰囲気下において６０分間放置し、伸縮方向に沿って伸縮部材２００ａの長さを測定する。この長さを、「自然状態の伸縮部材２００ａの長さ」とする。
【００７９】
なお、かかる測定は、シンワ測定株式会社製スプリングメジャー（テープ部：ガラス繊維入り塩ビ被覆）を用いて、測定対象部位に沿わせるようにして行った（１０サンプル）。
【００８０】
第２に、かかる状態（すなわち、自然状態）における所望領域の伸縮方向における長さ、及び、自然状態から弾性部材による皺が目視にて確認できない状態まで延伸した時の所望領域の伸縮方向における長さを測定する。この長さを、「伸長状態における伸縮部材２００ａの長さ」とする。
【００８１】
これら測定結果を用い、上述の式にて算出することで伸長率が測定される。
【００８２】
さらに、インジケーター６００が設けられている領域では、伸縮部材２００ａは、外側シート４２及びバックシート６０ａと接合されていることが好ましい。
【００８３】
かかる構成によれば、インジケーター６００が設けられている領域において、インジケーター６００よりも非肌当接面側Ｓ１のシート（伸縮部材２００ａやバックシート６０ａや外装シート６０等）が密接しているため、非肌当接面側Ｓ１からインジケーター６００の変色を視認し易くなる。
【００８４】
図３及び図４に示すように、バックシート６０ａの非肌当接面側Ｓ１には、不織布シートによって構成されている外装シート６０が備えられていてもよい。かかる外装シート６０は、伸縮方向と交差する方向にエンボス列をしている。
【００８５】
なお、バックシート６０ａ及び外装シート６０は、互いに点パターン又は線パターンにて接合されていてもよい。
【００８６】
吸収体４０の製品幅方向Ｗにおける両側縁部には、サイドフラップ７０がそれぞれ備えられている。サイドフラップ７０は、１枚又は２枚以上の複数枚重ねた不織布によって構成されている。
【００８７】
また、図１及び図２に示すように、一対のサイドフラップ７０には、ファスニングテープ９０がそれぞれ備えられている。
【００８８】
ファスニングテープ９０は、後胴回り域３０において、製品幅方向Ｗに延びており、前胴回り域２０の非肌当接面に配置されているターゲット部９５に取り付けられることによって、使い捨ておむつ１０を着用者の身体に保持するように構成されている。
【００８９】
また、図１乃至図３に示すように、サイドフラップ７０と外装シート６０との間には、脚回り開口部３５に沿って形成され、少なくとも製品長手方向Ｌに伸縮可能な一対のレッグ伸縮部（レッグギャザー）７５が備えられている。
【００９０】
また、図１に示すように、一対のレッグ伸縮部７５の内側（製品幅方向Ｗの中央Ｏ寄り）には、製品長手方向Ｌに沿って延びる一対のレッグサイドギャザー８０が備えられていてもよい。
【００９１】
レッグサイドギャザー８０は、サイドフラップ７０の製品幅方向Ｗの内側端部に設けられており、レッグ伸縮部７５よりも製品幅方向Ｗの内側に配置される起立性の伸縮ギャザーである。
【００９２】
サイドフラップ７０は、製品幅方向Ｗにおける内側端部においてトップシート５０側に折り返されており、２層に積層されている。
【００９３】
図３に示すように、積層された状態のサイドフラップ７０の間に、製品長手方向Ｌに伸長された状態で、弾性部材７１が設けられている。サイドフラップ７０及び弾性部材７１によって、レッグサイドギャザー８０が形成される。
【００９４】
レッグサイドギャザー８０は、トップシート５０又はバックシート６０ａに接合される接合部分８１と、弾性部材７１が配置された自由端部分８２とを有する。
【００９５】
自由端部分８２のうち、股下域２５を含む製品長手方向Ｌの中央部分は、弾性部材７１によって製品長手方向Ｌに収縮する。
【００９６】
レッグサイドギャザー８０は、使い捨ておむつ１０の着用時には、接合部分８１を基端部として立ち上がり、自由端部分８２の収縮部８４が頂点部として着用者の肌と接触する。すなわち、接合部分は、レッグサイド伸縮部の立ち上がりの基端部となる。
【００９７】
また、図１に、レッグサイドギャザー８０において、サイドフラップ７０とトップシート５０（又は、バックシート６０ａ等）とが接合された接合部分８１に斜線を付して示す。
【００９８】
本実施形態に係る使い捨ておむつ１０において、伸縮性シートによって構成されているウェスト伸縮部１００が設けられていてもよい。
【００９９】
また、図１に示すように、吸収体４０は、後胴回り域３０において、吸収体４０の他の部位よりも目付けが低い又は吸収性コア４０ａが存在しない低剛性領域２１０を有してもよい。
【０１００】
低剛性領域２１０と製品幅方向Ｗに収縮するウエスト伸縮部１００とが重なることで、低剛性領域２１０の製品幅方向Ｗ外側の吸収性コア４０ａ同士が製品幅方向Ｗ中央に寄せられ、カップ状となり、着用者の臀部により沿いやすい形状となる。
【０１０１】
さらに、吸収体４０は、製品幅方向Ｗにおける伸縮が他の領域よりも抑制された領域である伸縮抑制領域２２０を有する。
【０１０２】
ここで、伸縮抑制領域２２０は、図１に示すように、低剛性領域２１０の製品幅方向Ｗの外側にそれぞれ形成されている。
【０１０３】
また、伸縮抑制領域２２０と低剛性領域２１０との境界は、製品幅方向Ｗの中心に向けて凸となるような円弧で形成されている。かかる構成によれば、着用補助者に対して、着用者の臀部の形状のイメージを抱かせることができる。
【０１０４】
また、図１に示すように、吸収体４０の股下域２５には、切欠部１１０及び切欠部１２０が形成されている。切欠部１１０及び切欠部１２０は、吸収体４０を構成する吸収性コア４０ａが存在しない領域である。
【０１０５】
なお、切欠部１１０及び切欠部１２０を形成する代わりに、吸収性コア４０ａの目付を他の吸収性コア４０ａの部位よりもよりも低くなるようにしてもよい。
【０１０６】
図１に示すように、切欠部１１０及び切欠部１２０は、伸縮部材２００ａの製品長手方向Ｌにおける縁部に沿って形成されている。
【０１０７】
切欠部１１０及び切欠部１２０は、製品幅方向Ｗの外側に行くに連れて、製品長手方向Ｌにおける長さ（自然状態）が長くなるように構成されている。
【０１０８】
切欠部１１０の製品長手方向Ｌの前胴回り域２０側の縁部は、第１変曲部１１５を構成し、切欠部１２０の製品長手方向Ｌの後前胴回り域３０側の縁部は、第２変曲部１２５を構成する。
【０１０９】
なお、第１変曲部１１５及び第２変曲部１２５は、製品幅方向Ｗに沿って延びており、使い捨ておむつ１０の曲げ基点となるように構成されている。
【０１１０】
次に、本実施形態に係る使い捨ておむつ１０の製造方法の一例について説明する。なお、本実施形態において説明しない製造方法については、既存の方法を用いることができる。また、以下に説明する製造方法は、一例であり、他の製造方法によって、本実施形態に係る使い捨ておむつ１０を製造することもできる。かかる使い捨ておむつ１０の製造方法は、構成部品形成工程と、構成部品載置工程と、脚回り形成工程と、切断工程とを少なくとも含む。
【０１１１】
構成部品形成工程では、使い捨ておむつ１０を構成する構成部品（例えば、吸収体４０）を形成する。
【０１１２】
構成部品載置工程では、バックシート６０ａを構成するウェブ上に、レッグ伸縮部７５を構成する伸縮性シートや、トップシート５０を構成するウェブ等の他のウェブや、吸収体４０等の使い捨ておむつ１０を構成する構成部品を載置する。
【０１１３】
ここで、被覆シート４０ｂによって吸収性コア４０ａを被覆する段階において、外側シート４２に相当する部位の資材搬送速度（フィード量）及び内側シート４１に相当する部位の資材搬送速度（フィード量）を変える、若しくは、両部位の搬送ラインの抵抗を変えることで、内側シート４１及び外側シート４２の一方のシートを弛ませながら、吸収性コア４０ａを被覆することで弛みを設けることができる。
【０１１４】
脚回り形成工程は、レッグ伸縮部７５のＭＤ方向の外側端部に沿って、トップシート５０、外装シート６０、バックシート６０ａ、及び、レッグ伸縮部７５を構成する伸縮シートの一部を切断する。これにより、着用者の脚回りに配置される脚回り開口部３５が形成される。
【０１１５】
切断工程では、トップシート５０やバックシート６０ａや吸収体４０等が配置された連続体を、ＭＤ方向に沿って一製品の大きさに切断する。これにより、使い捨ておむつ１０が製造される。
【０１１６】
本実施形態に係る使い捨ておむつ１０によれば、内側シート４１と外側シート４２との間に空間が生まれ、吸収性コア４０ａ及びインジケーター６００が接触し難い状態となり、着用者の排泄前に、インジケーター６００が変色してしまうという事態を回避することができる。
【０１１７】
また、本実施形態に係る使い捨ておむつ１０によれば、着用者の排泄時には、内側シート４１と外側シート４２が排泄液により濡れ、内側シート４１と外側シート４２との間に介在する液体の表面張力により、内側シート４１及び外側シート４２が密接し、両者の間には粘着剤１が存在しないため、すばやくインジケーター６００を変色させることができる。
【０１１８】
また、本実施形態に係る使い捨ておむつ１０によれば、最も高目付になり得る内側シート４１及び外側シート４２の重なり合う部位Ａにおいて、粘着剤１が存在しないため、柔らかい吸収体４０に仕上げることができる。
（変更例）
本発明の変更例に係る使い捨ておむつ１０について、上述の第１の実施形態に係る使い捨ておむつ１０との相違点に着目して説明する。
【０１１９】
本変更例に係る使い捨ておむつ１０では、図６に示すように、上述の伸縮部材２００ａが設けられていなくてもよい。
【０１２０】
また、本変更例に係る使い捨ておむつ１０では、図７に示すように、外側シート４２の端部４２Ｅは、内側シート４１側に折り返されるように構成されていてもよい。
【０１２１】
或いは、本変更例に係る使い捨ておむつ１０では、内側シート４１の端部４１Ｅは、外側シート４２側に折り返されるように構成されていてもよい。
【０１２２】
或いは、本変更例に係る使い捨ておむつ１０では、外側シート４２の端部４２Ｅは、内側シート４１側に折り返されるように構成されており、かつ、内側シート４１の端部４１Ｅは、外側シート４２側に折り返されるように構成されていてもよい。
【０１２３】
これらの構成によれば、内側シート４１の端部４１Ｅ或いは外側シート４２の端部４２Ｅの折り返し部位によって、吸収性コア４０ａとインジケーター６００との間に、より広い空間を形成することができる。
【０１２４】
なお、内側シート４１の端部４１Ｅ或いは外側シート４２の端部４２Ｅの折り返し部位の厚みは、上述の空間確保及び着用者の排泄時の速やかな変色の観点から、０.０５〜０.３ｍｍであることが好ましい。
【０１２５】
さらに、本変更例に係る使い捨ておむつ１０では、図８に示すように、内側シート４１と外側シート４２との間で、インジケーター６００が設けられていない領域に、不織布シート等のシート２が設けられていてもよい。
【０１２６】
かかる構成によれば、かかるシート２によって、吸収性コア４０ａとインジケーター６００との間に、より広い空間を形成することができる。
【０１２７】
なお、かかるシート２の厚みは、上述の空間確保及び着用者の排泄時の速やかな変色の観点から、０.０５〜０.３ｍｍであることが好ましい。
【０１２８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１２９】
１０…使い捨ておむつ
２０…前胴回り域
２５…股下域
３０…後胴回り域
３５…脚回り開口部
４０…吸収体
４０ａ…吸収性コア
４０ｂ…被覆シート（コアラップ）
５０…トップシート
６０ａ…バックシート
６０…外装シート
７０…サイドフラップ
７１…弾性部材
７５…レッグ伸縮部
８０…レッグサイドギャザー
８１…接合部分
８２…自由端部分
９０…ファスニングテープ
９５…ターゲット部
１００…ウェスト伸縮部
１１０、１２０…切欠部
１１５…第１変曲部
１２５…第２変曲部
２００…クロッチ部
２００ａ…伸縮部材
６００…インジケーター
【図１】
2014094193.tif 000003
【図２】
2014094193.tif 000004
【図３】
2014094193.tif 000005
【図４】
2014094193.tif 000006
【図５】
2014094193.tif 000007
【図６】
2014094193.tif 000008
【図７】
2014094193.tif 000009
【図８】
2014094193.tif 000010